(57)【要約】【課題】ブラシ片が毛切れすることが無く、高い耐久性を有すると共に、ブラシ片が変形した時であっても洗浄性が劣化することが無く、高い洗浄性を有し、且つ被洗浄面に傷を付けることが無い洗車機用洗浄ブラシのブラシ片、及びそれを用いた洗車機用洗浄ブラシ、及びその洗車機用洗浄ブラシを搭載した洗車機を提供する。【解決手段】自動車あるいは車両の外面の被洗浄面に付着した汚れ等を洗浄する為の洗車機に使用する洗車機用洗浄ブラシのブラシ片において、前記ブラシ片は少なくとも撚り糸のみ、あるいは撚り糸と単糸にて形成されてあるものである。【選択図】図１
2007209735.tif 000002
【特許請求の範囲】
【請求項１】
自動車あるいは車両の外面の被洗浄面に付着した汚れ等を洗浄する為の洗車機に使用する洗車機用洗浄ブラシのブラシ片において、前記ブラシ片は少なくとも撚り糸のみ、あるいは撚り糸と単糸にて形成されてあることを特徴とする洗車機用洗浄ブラシのブラシ片。
【請求項２】
請求項１記載の構成よりなる洗車機用洗浄ブラシのブラシ片において、前記ブラシ片は撚り糸のみ、あるいは撚り糸と単糸からなる布帛にて形成されてあることを特徴とする洗車機用洗浄ブラシのブラシ片。
【請求項３】
請求項１から２記載の構成よりなる洗車機用洗浄ブラシのブラシ片において、前記ブラシ片は起毛部を有すると共に、前記起毛部は撚り糸のみ、あるいは撚り糸と単糸にて形成されてあることを特徴とする洗車機用洗浄ブラシのブラシ片。
【請求項４】
請求項１から３記載の構成よりなる洗車機用洗浄ブラシのブラシ片において、前記ブラシ片は起毛部を有すると共に、前記起毛部は撚り糸のみ、あるいは撚り糸と単糸にてループ状に形成されてあることを特徴とする洗車機用洗浄ブラシのブラシ片。
【請求項５】
請求項１から４記載の構成よりなる洗車機用洗浄ブラシのブラシ片と、前記ブラシ片と異なる材質のブラシ片が少なくとも一部重ね合わされて形成されてあることを特徴とする洗車機用洗浄ブラシのブラシ片。
【請求項６】
請求項１から５記載の構成よりなる洗車機用洗浄ブラシのブラシ片において、前記撚り糸を構成する単糸の少なくとも１本以上の断面が多角形にて形成されてあることを特徴とする洗車機用洗浄ブラシのブラシ片。
【請求項７】
請求項１から６記載の構成よりなる洗車機用洗浄ブラシのブラシ片において、前記撚り糸を構成する単糸の材質に、ポリエステル、ナイロン、ポリエチレン、ポリプロピレン、スパンデックス、アクリル、フッ素等の内、少なくとも１種類以上の前記材質が使用されてあることを特徴とする洗車機用洗浄ブラシのブラシ片。
【請求項８】
請求項１から７記載の構成よりなる洗車機用洗浄ブラシのブラシ片において、少なくとも前記撚り糸、前記単糸、あるいは前記撚り糸を構成する単糸のいずれかが極細繊維にて形成されてあることを特徴とする洗車機用洗浄ブラシのブラシ片。
【請求項９】
請求項１から８のいずれか１項に記載の洗車機用洗浄ブラシのブラシ片を配した洗車機用洗浄ブラシ。
【請求項１０】
駆動源と、被洗浄面に散布する洗浄剤及び水を噴出させるノズルと、洗浄後の被洗浄面を乾燥させる乾燥手段を備えると共に、請求項９記載の洗車機用洗浄ブラシを搭載した洗車機。
【発明の詳細な説明】
【技術分野】
【０００１】  本発明は、自動車あるいは車両の外面の被洗浄面に付着した汚れ等を洗浄する為の洗車機に使用する洗浄ブラシのブラシ片、及びそれを用いた洗車機用洗浄ブラシ、及びその洗車機用洗浄ブラシを搭載した洗車機に関するものである。
【背景技術】
【０００２】  自動車あるいは車両の外面の被洗浄面に付着した汚れ等を洗浄する為の洗車機に使用する洗浄ブラシのブラシ片に関しては、使用目的に応じて、さまざまな改良がなされ、例えば、剛性度が１２００ｋｇ／ｃｍ２〜５０００ｋｇ／ｃｍ２の熱可塑性樹脂で構成された分岐形状の断面をなす発泡糸で、発泡倍率が１．１〜１．７倍であることを特徴とする回転ブラシ用発泡糸が、特公平６−２１３７１号公報に開示されてある。【０００３】  また、見掛け密度が０．２〜１ｇ／ｃｍ３で、熱圧着面積が４〜４５％で部分熱圧着され、かつ撥水度が５０以上である合成長繊維不織布からなることを特徴とする洗車用ブラシが、特許第３１９１５３４号に開示されてある。【０００４】
【特許文献１】  特公平６−２１３７１号公報
【特許文献２】  特許第３１９１５３４号
【発明の開示】
【発明が解決しようとする課題】
【０００５】  従来の洗車機用洗浄ブラシのブラシ片は、例えば、上記の如くの特徴を有する技術が開示されてあるが、特公平６−２１３７１号公報に開示されてある技術においては、熱可塑性樹脂を低発泡化している為、柔軟性の高いブラシ用毛材を実現しているものの、モノフィラメントであることから、発泡糸を回転ブラシに取り付けて、被洗浄面に接触させると、毛切れ、毛折れ等が発生しやすく、耐久性に劣るという課題を有していた。【０００６】  また、特許第３１９１５３４号に開示されてある技術においては、合成長繊維不織布が部分熱圧着されているので、熱圧着部分が硬くなり、ブラシ片として使用した場合、毛癖が付きやすく、毛癖が付いた部分から座屈して、破れ、切れ、ほつれ等が発生し、耐久性が低いという課題を有していた。また、熱が加えられて部分熱圧着された合成長繊維不織布は、熱圧着部分が硬い為、自動車あるいは車両の外面の被洗浄面に傷を付けやすくなるという課題も有していた。【０００７】  本発明は、上記のような課題を解決する為になされたもので、ブラシ片が毛切れすることが無く、高い耐久性を有すると共に、ブラシ片が変形した時であっても洗浄性が劣化することが無く、高い洗浄性を有し、且つ被洗浄面に傷を付けることが無い洗車機用洗浄ブラシのブラシ片、及びそれを用いた洗車機用洗浄ブラシ、及びその洗車機用洗浄ブラシを搭載した洗車機を提供することを目的としている。
【課題を解決するための手段】
【０００８】  そして、本発明は、上記目的を達成する為に、第１の課題解決手段は、前記ブラシ片は少なくとも撚り糸のみ、あるいは撚り糸と単糸にて形成されてある構成としたものである。【０００９】  また、第２の課題解決手段は、前記ブラシ片は撚り糸のみ、あるいは撚り糸と単糸からなる布帛にて形成されてある構成としたものである。【００１０】  また、第３の課題解決手段は、前記ブラシ片は起毛部を有すると共に、前記起毛部は撚り糸のみ、あるいは撚り糸と単糸にて形成されてある構成としたものである。【００１１】  また、第４の課題解決手段は、前記ブラシ片は起毛部を有すると共に、前記起毛部は撚り糸のみ、あるいは撚り糸と単糸にてループ状に形成されてある構成としたものである。【００１２】  また、第５の課題解決手段は、上記第１の課題解決手段から第４の課題解決手段に記載の構成よりなる洗車機用洗浄ブラシのブラシ片と、前記ブラシ片と異なる材質のブラシ片が少なくとも一部重ね合わされて形成されてある構成としたものである。【００１３】  また、第６の課題解決手段は、前記撚り糸を構成する単糸の少なくとも１本以上の断面が多角形にて形成されてある構成としたものである。【００１４】  また、第７の課題解決手段は、前記撚り糸を構成する単糸の材質に、ポリエステル、ナイロン、ポリエチレン、ポリプロピレン、スパンデックス、アクリル、フッ素等の内、少なくとも１種類以上の前記材質が使用されてある構成としたものである。【００１５】  また、第８の課題解決手段は、少なくとも前記撚り糸、前記単糸、あるいは前記撚り糸を構成する単糸のいずれかが極細繊維にて形成されてある構成としたものである。【００１６】  また、第９の課題解決手段は、上記第１の課題解決手段から第８の課題解決手段のいずれか１項に記載の洗車機用洗浄ブラシのブラシ片を配した洗車機用洗浄ブラシとしたものである。【００１７】  また、第１０の課題解決手段は、上記第９の課題解決手段に記載の洗車機用洗浄ブラシを搭載した洗車機としたものである。【００１８】  上記第１の課題解決手段による作用は、次の通りである。すなわち、複数の単糸を撚り加工した撚り糸を有するブラシ片である為、被洗浄面からブラシ片が受ける衝撃力等の反力を、撚り糸を構成する複数の単糸が吸収、及び分散するので、毛切れ、毛折れ等が防止される。また、撚り糸を構成する複数の単糸は、撚りを加えたことにより、毛腰を発生させることができ、毛癖が付きにくい為、ブラシ片は長期間に渡って、被洗浄面に均一に当接する。【００１９】  また、第２の課題解決手段による作用は、前記ブラシ片は撚り糸のみ、あるいは撚り糸と単糸からなる布帛にて形成されてある為、被洗浄面に撚り糸を有する布帛が接触するので、布帛の有する高い洗浄性が被洗浄面に付与されると共に、上記の如く、撚り糸を構成する複数の単糸が、被洗浄面から受ける衝撃力等の反力を吸収、及び分散することから、糸切れが防止され、布帛の破れ、ほつれ、切れが回避される。【００２０】  また、第３の課題解決手段による作用は、前記ブラシ片は起毛部を有すると共に、前記起毛部は撚り糸のみ、あるいは撚り糸と単糸にて形成されてある為、被洗浄面にたいするブラシ片の接触面積が広���る。また、撚り糸はブラシ片が被洗浄面から受ける衝撃力等の反力を吸収、及び分散する為、ブラシ片は被洗浄面にたいする接触時間を長く保持することができる。その為、ブラシ片が被洗浄面に接触すると、ブラシ片の摩擦係数が向上する。【００２１】  また、第４の課題解決手段による作用は、前記ブラシ片は起毛部を有すると共に、前記起毛部は撚り糸のみ、あるいは撚り糸と単糸にてループ状に形成されてある為、ブラシ片が被洗浄面に当接する際、穴部を有するループ状の撚り糸、あるいは穴部を有するループ状の撚り糸と単糸が連続的に変形するので、ブラシ片は被洗浄面にたいして柔軟に接触する。【００２２】  また、第５の課題解決手段による作用は、上記第１の課題解決手段から第４の課題解決手段に記載の構成よりなる洗車機用洗浄ブラシのブラシ片と、前記ブラシ片と異なる材質のブラシ片が少なくとも一部重ね合わされて形成されてある為、被洗浄面に撚り糸を有する布帛が接触するので、布帛の有する高い洗浄性が被洗浄面に付与されると共に、撚り糸は被洗浄面からの衝撃力等の反力を吸収、及び分散するので、布帛の切れ、破れ等の発生が無い。また、前記布帛と異なる材質のブラシ片として、例えば、合成樹脂発泡体が用いられている場合には、合成樹脂発泡体の有する高い弾力性がブラシ片に付与される。その為、前記布帛と前記合成樹脂発泡体が重ね合わされて接合されてある場合のブラシ片においては、撚り糸を有する布帛のみで形成されているブラシ片に比べて、ブラシ片の毛腰が強く設定される。【００２３】  また、第６の課題解決手段による作用は、前記撚り糸を構成する単糸の少なくとも１本以上の断面が多角形にて形成されてある為、単糸の有する多角形の角部が被洗浄面に接触して、汚れが掻き出される。【００２４】  また、第７の課題解決手段による作用は、前記撚り糸を構成する単糸の材質に、ポリエステル、ナイロン、ポリエチレン、ポリプロピレン、スパンデックス、アクリル、フッ素等の内、少なくとも１種類以上の前記材質が使用されてある為、使用される材質に応じた特性が、ブラシ片に付与される。【００２５】  また、第８の課題解決手段による作用は、少なくとも前記撚り糸、前記単糸、あるいは前記撚り糸を構成する単糸が極細繊維にて形成されてある為、被洗浄面の細かな凹凸部分にたいして、極細繊維の撚り糸、あるいは単糸が接触する。【００２６】  また、第９の課題解決手段による作用は、上記第１の課題解決手段から第８の課題解決手段のいずれか１項に記載の洗車機用洗浄ブラシのブラシ片を配した洗車機用洗浄ブラシである為、ブラシ片の毛切れ、毛折れ、破れ、ほつれ等が無く、洗車機用洗浄ブラシは長期間に渡って洗浄効果が劣化すること無く発揮される。【００２７】  また、第１０の課題解決手段による作用は、上記第９の課題解決手段に記載の洗車機用洗浄ブラシを搭載した洗車機である為、ブラシ片が毛切れすることが無く、高い耐久性を有すると共に、ブラシ片が変形した時であっても洗浄性が劣化することが無く、高い洗浄性を有し、且つ被洗浄面に傷を付けることが無いブラシ片を配した洗車機用洗浄ブラシが搭載されてある。従って、高い耐久性、及び洗浄性を有する洗車機が提供される。
【発明の効果】
【００２８】  本発明の洗車機用洗浄ブラシのブラシ片は、複数の単糸を撚り加工した撚り糸を有するブラシ片である為、毛切れ、毛折れ、破れ、ほつれ等の発生が無く、極めて高い耐久性を有するブラシ片であり、長期間に渡って高い洗浄性を発揮することができる非常に優れたものである。
【発明を実施するための最良の形態】
【００２９】  第１の発明は、複数の単糸を撚り加工した撚り糸を有するブラシ片である為、被洗浄面からブラシ片が受ける衝撃力等の反力を、撚り糸を構成する複数の単糸が吸収、及び分散するので、毛切れ、毛折れ等が防止される。また、撚り糸を構成する複数の単糸は、撚りを加えたことにより、毛腰を発生させることができ、毛癖が付きにくい為、ブラシ片は長期間に渡って、被洗浄面に均一に当接する。その為、極めて高い耐久性を有するブラシ片を、被洗浄面にたいして接触させることができる。【００３０】  第２の発明は、前記ブラシ片は撚り糸のみ、あるいは撚り糸と単糸からなる布帛にて形成されてある為、被洗浄面に撚り糸を有する布帛が接触するので、布帛の有する高い洗浄性が被洗浄面に付与されると共に、上記の如く、撚り糸を構成する複数の単糸が、被洗浄面から受ける衝撃力等の反力を吸収、及び分散することから、糸切れが防止され、布帛の破れ、ほつれ、切れが回避される。その為、長期間に渡って、高い洗浄性を有するブラシ片を、被洗浄面に接触させることができる。【００３１】  第３の発明は、前記ブラシ片は起毛部を有すると共に、前記起毛部は撚り糸、あるいは撚り糸と単糸にて形成されてある為、被洗浄面にたいするブラシ片の接触面積が広がる。また、撚り糸はブラシ片が被洗浄面から受ける衝撃力等の反力を吸収、及び分散する為、ブラシ片は被洗浄面にたいする接触時間を長く保持することができる。その為、ブラシ片が被洗浄面に接触すると、ブラシ片の摩擦係数が向上する。その為、被洗浄面に付着している汚れを落とす洗浄機能が大幅に向上する。【００３２】  第４の発明は、前記ブラシ片は起毛部を有すると共に、前記起毛部は撚り糸のみ、あるいは撚り糸と単糸にてループ状に形成されてある為、ブラシ片が被洗浄面に当接する際、穴部を有するループ状の撚り糸、あるいは穴部を有するループ状の撚り糸と単糸が連続的に変形するので、ブラシ片は被洗浄面にたいして柔軟に接触する。その為、被洗浄面にたいしてブラシ痕等の傷が入ることを防止することができる。また、ループ状の穴部による汚れの掻き上げ性能が発揮され、洗浄性が大幅に向上する。【００３３】  第５の発明は、上記第１の発明から第４の発明の構成よりなる洗車機用洗浄ブラシのブラシ片と、前記ブラシ片と異なる材質のブラシ片が少なくとも一部重ね合わされて形成されてある為、被洗浄面に撚り糸を有する布帛が接触するので、布帛の有する高い洗浄性が被洗浄面に付与されると共に、撚り糸は被洗浄面からの衝撃力等の反力を吸収、及び分散するので、布帛の切れ、破れ等の発生が無い。また、前記布帛と異なる材質のブラシ片として、例えば、合成樹脂発泡体が用いられている場合には、合成樹脂発泡体の有する高い弾力性がブラシ片に付与される。その為、前記布帛と前記合成樹脂発泡体が重ね合わされて接合されてある場合のブラシ片においては、撚り糸を有する布帛のみで形成されているブラシ片に比べて、ブラシ片の毛腰が強く設定される。その為、洗い残しの無いブラシ片の提供が可能となり、洗浄性が飛躍的に向上する。【００３４】  第６の発明は、前記撚り糸を構成する単糸の少なくとも１本以上の断面が多角形にて形成されてある為、単糸の有する多角形の角部が被洗浄面に接触して、汚れが掻き出される。その為、被洗浄面に付着している汚れの掻き出し性能が大幅に向上する。【００３５】  第７の発明は、前記撚り糸を構成する単糸の材質に、ポリエステル、ナイロン、ポリエチレン、ポリプロピレン、スパンデックス、アクリル、フッ素等の内、少なくとも１種類以上の前記材質が使用されてある為、使用される材質に応じた特性が、ブラシ片に付与される。その為、使用目的に最適なブラシ片を提供することができる。【００３６】  第８の発明は、少なくとも前記撚り糸、前記単糸、あるいは前記撚り糸を構成する単糸が極細繊維にて形成されてある為、被洗浄面の細かな凹凸部分にたいして、極細繊維の撚り糸、あるいは単糸が接触する。その為、洗い残しの発生を防ぐことができる。【００３７】  第９の発明は、上記第１の発明から第８の発明のいずれか１項に記載の洗車機用洗浄ブラシのブラシ片を配した洗車機用洗浄ブラシである為、ブラシ片の毛切れ、毛折れ、破れ、ほつれ等が無く、洗車機用洗浄ブラシは長期間に渡って洗浄効果が発揮される。その為、ブラシ片が自動車、あるいは車両のアンテナ、ワイパー等の装備品に絡み付いたり、纏わり付いたりして、装備品を破損させることが無く、極めて高い安全性を有する洗車機用洗浄ブラシを提供することができる。【００３８】  第１０の発明は、上記第９の発明に記載の洗車機用洗浄ブラシを搭載した洗車機である為、ブラシ片が毛切れすることが無く、高い耐久性を有すると共に、ブラシ片が変形した時であっても洗浄性が劣化することが無く、高い洗浄性を有し、且つ被洗浄面に傷を付けることが無いブラシ片を配した洗車機用洗浄ブラシが搭載されてある。従って、高い耐久性、及び洗浄性を有する洗車機が提供される。その為、洗車機は、被洗浄面を傷付けること無く、長期間に渡って高い洗浄性を発揮できる。また、洗車機用洗浄ブラシの交換等に伴うメンテナンスの軽減を図ることができ、ランニングコストの削減を図ることができる。【００３９】  以下、本発明の実施の形態について図面を参照しながら説明する。なお、この実施の形態により本発明が限定されるものではない。
【実施例１】
【００４０】  図１から図７、図１０（Ａ）、及び図１２にて実施例１を示す。図１は、本発明の洗車機用洗浄ブラシのブラシ片を前面側から見た斜視図である。図１において、１はブラシ片、２は布帛、３は撚り糸である。図２は、図１の撚り糸を前面側から見た斜視図である。図２において、４は単糸である。図３は、本発明の洗車機用洗浄ブラシのブラシ片を配した洗車機用洗浄ブラシを前面側から見た斜視図である。図３において、４１は洗車機用洗浄ブラシ、４２は台座、４４は止め金具、４５は溝部、４６はスリットである。図４は、本発明の他の実施の形態における洗車機用洗浄ブラシのブラシ片を前面側から見た斜視図である。図４において、１１はブラシ片、１２は基布、１３は撚り糸である。図５は、図４のブラシ片の部分拡大図である。図６は、本発明の他の実施の形態における洗車機用洗浄ブラシのブラシ片の部分拡大図である。図６において、２１はブラシ片、２２は基布、２３は撚り糸、２５は穴部である。図７は、本発明の他の実施の形態における洗車機用洗浄ブラシのブラシ片を前面側から見た斜視図である。図７において、６１はブラシ片、６２は布帛、６３は合成樹脂発泡体、６４は接合部、６５は凹部である。図１０（Ａ）は、本発明の他の実施の形態における洗車機用洗浄ブラシのブラシ片を前面側から見た斜視図である。図１０（Ａ）において、７４は単糸である。図１２は、図４の撚り糸の正面図である。図１２（Ａ）において、５５は先端部である。図１２（Ｂ）において、９５は接着部である。【００４１】  ブラシ片１は、図１の如く、撚り糸３を有する平板形状の布帛２にて形成されてある。布帛２は、撚り糸３を平織した織布である。なお、布帛２は撚り糸３を綾織により織布として形成しても良いし、撚り糸３を水流絡合、熱圧着、ケミカルバインダー接着等により不織布として形成しても良いし、あるいは撚り糸３を編んで編布として形成しても良い。また、撚り糸３は、図２の如く、複数の単糸４を撚り加工することにより形成される。また、布帛２は、撚り糸３のみを用いて形成しても良いが、図１０（Ａ）の如くの単糸７４を撚り糸３と混合して配合することにより、形成しても構わない。【００４２】  ブラシ片１は、撚り糸３を有する布帛２にて形成されてあるので、撚り糸３を構成する複数の単糸４が、被洗浄面から受ける衝撃力等の反力を吸収、及び分散することができる。その為、単糸７４のみで形成されている布帛に比べて、糸が切れにくく、布帛２の破れ、ほつれ、切れを防止することができる。また、布帛２の有する高い洗浄性を被洗浄面に付与できる。【００４３】  また、撚り糸３を構成する単糸４の材質には、ポリエステル、ナイロン、ポリエチレン、ポリプロピレン、スパンデックス、アクリル、フッ素等の内、少なくとも１種類以上の前記材質が使用されてある。ポリエステルが使用されてある場合には、ポリエステルの有する耐熱性、強酸から弱アルカリにおける耐薬品性の高さ、吸水率の低さ、価格の低さ等の特性をブラシ片１は有することができる。また、ナイロンが使用されてある場合には、ナイロンの有する耐摩耗性、耐熱性、弱酸から強アルカリにおける耐薬品性の高さ等の特性をブラシ片１は有することができる。また、���リエチレンが使用されてある場合には、ポリエチレンの有する酸、及びアルカリにおける耐薬品性の高さ、吸水率が０％、価格の低さ等の特性をブラシ片１は有することができる。また、ポリプロピレンが使用されてある場合には、ポリプロピレンの有する吸水率が０％、価格の低さ、軽量等の特性をブラシ片１は有することができる。また、別名、ウレタン弾性糸とも呼ばれるスパンデックスが使用されてある場合には、ウレタンの有する耐摩耗性、高い弾力性、親油性の高さ等の特性をブラシ片１は有することができる。また、アクリルが使用されてある場合には、アクリルの有する高い耐溶剤性、及び耐候性等の特性をブラシ片１は有することができる。また、フッ素が使用されてある場合には、フッ素の有する高い防汚性、及び耐水性、強酸から強アルカリにおける耐薬品性等の特性をブラシ片１は有することができる。【００４４】  ところで、洗車機用洗浄ブラシのブラシ片には、合成樹脂繊維、布帛、フィルム状樹脂組成物、合成樹脂発泡体等がある。合成樹脂繊維は洗い残しが少なく、洗浄性が良好で、水を含まない為、冬場に凍結しにくいが、被洗浄面に傷を付けやすいという特徴を持っている。布帛は洗浄性が良好で、被洗浄面に柔らかく接触する為、被洗浄面に傷を付けにくいが、布帛を形成する繊維の間の空隙に水を含む為、冬場に凍結しやすく、破れ、切れ、ほつれが発生し、耐久性が劣るという特徴を持っている。フィルム状樹脂組成物は洗浄時の音が小さく、被洗浄面に傷を付けにくいが、毛腰が弱く、耐久性が低いという特徴を持っている。合成樹脂発泡体は耐久性が良好で、洗浄面に傷を付けにくいが、洗浄性が低いという特徴を持っている。【００４５】  また、ブラシ片１は、図３の如く、台座４２、止め金具４４、溝部４５よりなる洗車機用洗浄ブラシ４１として構成される。台座４２は、略円筒形状からなり、外周の両端部には止め金具４４が組み付けられてあると共に、溝部４５が形成されてある。ブラシ片１は、スリット４６を有し、溝部４５に勘合挿入されてあり、止め金具４４にて固定されてある。【００４６】  洗車機用洗浄ブラシ４１は、上記の如くの構成となっているので、ブラシ片１に形成されてあるスリット４６が被洗浄面の細部の凹凸部にたいしても接触することができ、長期間に渡って高い洗浄性を有することができる。また、ブラシ片１の使用枚数、及び台座４２上の溝部４５の間隔等を調整することにより、ブラシ片１を被洗浄面に連続的に当てることができる。また、溝部４５を台座４２の長手方向にたいして捩りを有して螺旋状に形成した場合にも、前記と同様にブラシ片１を連続的に被洗浄面に当てることができるという効果を発揮することができる。その為、被洗浄面の洗い残しを無くすことができると共に、ブラシ片１が被洗浄面に当接する際の接触音を低減させることができる。【００４７】  なお、ブラシ構造に関しては特に限定されるものではなく、上記の如くの構造以外にも使用目的に応じて、適時、設定することができる。【００４８】  次に、ブラシ片１１について説明する。ブラシ片１１は、図４、及び図５の如く、基布１２の表面に撚り糸１３が形成されてある。基布１２は、繊維を平織した織布である。なお、綾織による織布、あるいは不織布、編布等の平板形状の布帛を用いることもできる。撚り糸１３は、基布１２を構成する繊維に波形状に織り込んで、基布１２の表面より連続的に突出させ、突出した撚り糸１３の先端部を切ることにより、形成されてある。また、基布１２を構成する繊維にたいして、撚り糸１３を概Ｕ字断面に形成して織り込み、前記概Ｕ字断面を有する撚り糸１３の先端部の内、一方を基布１２の表面から突出させても良いし、両方の先端部を基布１２の表面から突出させて形成することもできる。また、基布１２にたいして撚り糸１３を縫い込むことにより、ブラシ片１１を形成することもできる。さらに、撚り糸１３は、基布１２にたいして、一般的に静電植毛と呼ばれている方法で植え付けることもできる。静電植毛とは、直流電圧により静電界をつくり、静電吸引力により撚り糸１３を飛ばし、接着剤を塗布した基布１２に、撚り糸１３を植え付ける加工方法のことである。また、基布１２の表面に撚り糸１３を形成する以外にも、基布１２の側面に撚り糸１３を形成しても構わない。また、撚り糸１３のみを使用しても良いし、撚り糸１３と単糸７４を混合して使用することもできる。なお、基布１２の代わりに、平板形状の合成樹脂発泡体、フィルム状樹脂組成物、熱可塑性エラストマーを有する軟質シート等、被洗浄面に傷を付けない材質なら何ら差し支えなく採用できる。【００４９】  また、図１２（Ａ）の如く、撚り糸１３の撚りが一部分戻ることにより、先端部５５が広がった場合においては、撚り糸１３は、先端部５５が被洗浄面にたいして、より広く、且つ柔軟に接触できる為、撚りが一部分戻っていない場合に比べて、より高い洗浄力が得られる。また、図１２（Ｂ）の如く、撚り糸１３の一部が接着剤による接着部９５を有して形成されている場合においては、撚りが撚り糸１３の全体に渡って戻ることを防止することができる。【００５０】  また、上記の如くの形状以外にも、図６の如く、撚り糸２３を、穴部２５を有するループ状に形成し、織布よりなる基布２２の表面に、上記の如くの方法により織り込んでブラシ片２１として形成することもできる。なお、撚り糸２３は、基布２２の表面に縫い込んだり、静電植毛により植え付けたりして形成することもできる。撚り糸２３は、基布２２の側面に形成しても良い。また、撚り糸２３のみを使用しても良いし、撚り糸２３と単糸７４をループ状に形成し、混合して使用することもできる。なお、織布よりなる基布２２の代わりに、平板形状の不織布、編布、合成樹脂発泡体、フィルム状樹脂組成物、熱可塑性エラストマーを有する軟質シート等、被洗浄面に傷を付けない材質なら何ら差し支えなく採用できる。【００５１】  次に、ブラシ片６１について説明する。ブラシ片６１は、図７の如く、撚り糸を有する平板形状の布帛６２と、平板形状の合成樹脂発泡体６３が、接合部６４を介して重ね合わされてある。布帛６２は織布にて形成されてあるが、不織布、編布等を採用しても構わない。布帛６２と合成樹脂発泡体６３の接合は、一般的に超音波溶着と呼ばれる溶着方法にて接合されてある。超音波溶着は、布帛６２と合成樹脂発泡体６３を重ね合わせ、重ね合わされた布帛６２と合成樹脂発泡体６３にたいして、超音波振動をしているホーンを押し付ける。この時、ホーンから発生した摩擦熱により、布帛６２の上面が変形する為、凹部６５が形成されると共に、布帛６２、及び合成樹脂発泡体６３が溶着されて、接合部６４が形成される。布帛６２と合成樹脂発泡体を接合させる方法は、前記の如くの超音波溶着以外にも、熱溶着、レーザー波溶着等の溶着、あるいは接着、縫製、ネジ止め、一体成形等の方法を用いることもできる。なお、合成樹脂発泡体６３の代わりに、布帛６２より毛腰の強い平板形状の布帛、フィルム状樹脂組成物、熱可塑性エラストマーを有する軟質シート等を採用することもできる。【００５２】  本発明の洗車機用洗浄ブラシのブラシ片１の動作、作用は下記の通りである。【００５３】  図１、及び図２の如く、前記ブラシ片１は撚り糸３からなる布帛２にて形成されてある為、被洗浄面に撚り糸３を有する布帛２が接触するので、布帛２の有する高い洗浄性が被洗浄面に付与されると共に、撚り糸３を構成する複数の単糸４が、被洗浄面から受ける衝撃力等の反力を吸収、及び分散することから、糸切れが防止され、布帛２の破れ、ほつれ、切れが回避される。その為、長期間に渡って、高い洗浄性を有するブラシ片１を、被洗浄面に接触させることができる。【００５４】  前記撚り糸３を構成する単糸４の材質に、ポリエステル、ナイロン、ポリエチレン、ポリプロピレン、スパンデックス、アクリル、フッ素等の内、少なくとも１種類以上の前記材質が使用されてある為、使用される材質に応じた特性が、ブラシ片１に付与される。その為、使用目的に最適なブラシ片１を提供することができる。【００５５】  また、本発明の他の実施の形態における洗車機用洗浄ブラシのブラシ片１１の動作、作用は下記の通りである。【００５６】  図４、図５、及び図１２の如く、前記ブラシ片１１は起毛部を有すると共に、前記起毛部は撚り糸１３にて形成されてある為、被洗浄面にたいするブラシ片１１の接触面積が広がる。また、撚り糸１３はブラシ片１１が被洗浄面から受ける衝撃力等の反力を吸収、及び分散する為、ブラシ片１１は被洗浄面にたいする接触時間を長く保持することができる。その為、ブラシ片１１が被洗浄面に接触すると、ブラシ片１１の摩擦係数が向上する。その為、被洗浄面に付着している汚れを落とす洗浄機能が大幅に向上する。【００５７】  また、本発明の他の実施の形態における洗車機用洗浄ブラシのブラシ片２１の動作、作用は下記の通りである。【００５８】  図６の如く、前記ブラシ片２１は起毛部を有すると共に、前記起毛部は撚り糸２３にてループ状に形成されてある為、ブラシ片２１が被洗浄面に当接する際、穴部２５を有するループ状の撚り糸２３が連続的に変形するので、ブラシ片２１は被洗浄面にたいして柔軟に接触する。その為、被洗浄面にたいしてブラシ痕等の傷が入ることを防止することができる。また、ループ状の穴部２５による汚れの掻き上げ性能が発揮され、洗浄性が大幅に向上する。【００５９】  また、本発明の他の実施の形態における洗車機用洗浄ブラシのブラシ片６１の動作、作用は下記の通りである。【００６０】  図７の如く、ブラシ片６１は布帛６２と、前記布帛６２と異なる材質の合成樹脂発泡体６３が少なくとも一部重ね合わされて形成されてある為、被洗浄面に撚り糸を有する布帛６２が接触するので、布帛６２の有する高い洗浄性が被洗浄面に付与されると共に、撚り糸は被洗浄面からの衝撃力等の反力を吸収、及び分散するので、布帛６２の切れ、破れ等の発生が無い。また、前記布帛６２と異なる材質の合成樹脂発泡体６３が、前記布帛６２と重ね合わされて接合されているので、合成樹脂発泡体６３の有する高い弾力性がブラシ片６１に付与される。その為、前記布帛６２と前記合成樹脂発泡体６３が重ね合わされて接合されてあるブラシ片６１は、撚り糸を有する布帛６２のみで形成されているブラシ片に比べて、ブラシ片６１の毛腰が強く設定される。その為、洗い残しの無いブラシ片６１の提供が可能となり、洗浄性が飛躍的に向上する。【００６１】  なお、ブラシ片１は、例えば、縦糸を撚り糸３、横糸を単糸７４にて構成された織布でも良い。また、ブラシ片１に形成されてあるスリット４６の代わりに、ブラシ片１の先端部を細かく先割れ加工しても良い。また、撚り糸３の撚り方向等の撚り形態については、撚り糸状であれば、いかなる形態も採用できる。また、撚り糸１３は、基布１２の表面であれば、いずれの面に形成されてあっても良い。また、ブラシ片６１は、接合されるブラシ片が共に撚り糸を有する織布と不織布等の場合であっても、使用目的によっては、支障は無い。
【実施例２】
【００６２】  図８から図１０にて実施例２を示す。図８は、本発明の洗車機用洗浄ブラシのブラシ片を配した洗車機用洗浄ブラシを前面側から見た斜視図である。図８において、３１は洗車機用洗浄ブラシ、３２は台座、３３はブラシ片、３４は止め金具、３５はチャンネルブラシである。図９は、図８のチャンネルブラシの拡大図である。図９において、３８は帯状体、３９は芯線である。図１０は、本発明の他の実施の形態における洗車機用洗浄ブラシのブラシ片を前面側から見た斜視図である。図１０（Ａ）において、７４は単糸である。図１０（Ｂ）において、７３はブラシ片、７７は集束体である。図１０（Ｃ）において、８３はブラシ片、８４は単糸、８５は角部である。【００６３】  洗車機用洗浄ブラシ３１は、図８の如く、台座３２、ブラシ片３３、止め金具３４、及びチャンネルブラシ３５より構成されてある。台座３２は、略円筒形状からなり、外周の両端部には、止め金具３４が組み付けられて形成されてある。また、チャンネルブラシ３５は、図９の如く、ブラシ片３３を、芯線３９、及び概Ｕ字断面を有する帯状体３８にて折り込んだ後、図８の如く、台座３２の外周の周りに捩りを加えて螺旋状に形成されてあり、止め金具３４にて固定されてある。なお、ブラシ片３３は複数の単糸を撚り加工した撚り糸にて形成されてある。【００６４】  また、ブラシ片３３は、上記の如くの撚り糸のみを使用しても良いが、撚り糸と、図１０（Ａ）の如くの単糸７４を所定重量％併用して用いても良い。単糸７４を混ぜた場合においては、被洗浄面に付着している汚れを除去させる際のブラシ片３３の接触性能を、撚り糸のブラシ片３３と単糸７４の２種類にて設定できるので、特に、汚れの付着量の多い被洗浄面にたいして有効である。前記の接触性能とは、例えば、撚り糸のブラシ片３３の外径と単糸７４の外径が同一の場合には、被洗浄面にたいする加圧力、衝撃力等は、単糸７４の方が撚り糸のブラシ片３３よりも大きく、被洗浄面にたいする加圧力、衝撃力等の反力の吸収力、分散力は、撚り糸のブラシ片３３の方が、単糸７４よりも大きく、破断等にたいする耐久性も、撚り糸のブラシ片３３の方が、単糸７４よりも高い耐久性を有しているということである。【００６５】  また、洗車機用洗浄ブラシ３１は、図１０（Ｂ）の如く、複数の繊維を束ねた後、捩りを加えて形成した集束体７７を、複数、束ねた後、捩りを加えて撚り糸状になるように形成されてあるブラシ片７３を使用することもできる。ブラシ片７３を使用した場合には、洗車機用洗浄ブラシ３１は、被洗浄面からブラシ片７３が受ける衝撃力等の反力を、集束体７７が吸収、及び分散させることができる。その為、ブラシ片７３が、破断あるいは毛切れ、毛折れすることが無く、ブラシ片７３が被洗浄面に接触して変形した時でも、接触性能が劣化すること無く、洗車機用洗浄ブラシ３１は高い耐久性を有することができる。また、ブラシ片７３は、複数の集束体７７に撚りを加えて形成されてある為、上記実施例１に記載の撚り糸３に比べて、より高い衝撃吸収力、及び分散力を有することができると共に、より高い引張強度を右することができる。その為、ブラシ片７３を使用した場合においては、洗車機用洗浄ブラシ３���は、高い洗浄性と高い耐久性を有することができる。【００６６】  また、洗車機用洗浄ブラシ３１は、図１０（Ｃ）の如く、断面が四角形からなる多角形にて形成されてある複数の単糸８４を束ねた後、捩りを加えて撚り糸状になるように形成されてあるブラシ片８３を使用することもできる。ブラシ片８３を使用した場合には、洗車機用洗浄ブラシ３１は、単糸８４の角部８５により、被洗浄面にたいして汚れを掻き出すように接触させることができる。特に、汚れが強く付着した被洗浄面にたいして有効である。なお、多角形の断面形状は、前記の如くの四角形以外にも、三角形、五角形、六角形、星型、波型、三日月型等の異形形状等使用目的に応じて、適時、設定することができる。【００６７】  また、撚り糸、単糸７４、あるいは撚り糸を構成する単糸は極細繊維にて形成しても良い。極細繊維とは、繊度１デニール未満のマイクロファイバーのことである。１デニールとは一般的に、繊維の長さが９０００ｍで１ｇとなる繊維のことである。また、ブラシ片３３、７３、８３、及び単糸７４は先端部を細かく先割れ加工して使用することもできる。【００６８】  本発明の洗車機用洗浄ブラシのブラシ片３３の動作、作用は下記の通りである。【００６９】  図９の如く、ブラシ片３３は、複数の単糸を撚り加工した撚り糸にて形成されてある為、被洗浄面からブラシ片３３が受ける衝撃力等の反力を、撚り糸を構成する複数の単糸が吸収、及び分散するので、毛切れ、毛折れ等が防止される。また、撚り糸を構成する複数の単糸は、撚りを加えたことにより、毛腰を発生させることができ、毛癖が付きにくい為、ブラシ片３３は長期間に渡って、被洗浄面に均一に当接する。その為、極めて高い耐久性を有するブラシ片３３を、被洗浄面にたいして接触させることができる。【００７０】  また、図１０（Ｃ）の如く、ブラシ片３３の代わりにブラシ片８３を用いた場合においては、前記撚り糸を構成する単糸８４の断面が多角形にて形成されてある為、単糸８４の有する多角形の角部８５が被洗浄面に接触して、汚れが掻き出される。その為、被洗浄面に付着している汚れの掻き出し性能が大幅に向上する。【００７１】  また、前記撚り糸、前記単糸７４、あるいは前記撚り糸を構成する単糸が極細繊維にて形成されてある場合においては、被洗浄面の細かな凹凸部分にたいして、極細繊維の撚り糸、あるいは単糸７４が接触する。その為、細部に付着した汚れにたいしても、洗い残しが無く、高い洗浄性が発揮できる。【００７２】  また、本発明の洗車機用洗浄ブラシのブラシ片３３を配した洗車機用洗浄ブラシ３１の動作、作用は下記の通りである。【００７３】  図８の如く、洗車機用洗浄ブラシ３１は、洗車機用洗浄ブラシのブラシ片３３を配している為、ブラシ片３３の破断、毛切れ、毛折れ等が無く、洗車機用洗浄ブラシ３１は長期間に渡って洗浄効果が発揮される。その為、ブラシ片３３が自動車、あるいは車両のアンテナ、ワイパー等の装備品に絡み付いたり、纏わり付いたりして、装備品を破損させることが無く、極めて高い安全性を有する洗車機用洗浄ブラシ３１を提供することができる。
【実施例３】
【００７４】  図１１にて、実施例３を示す。図１１は、本発明の洗車機用洗浄ブラシのブラシ片が使用されてある洗車機用洗浄ブラシが搭載されてある洗車機の正面図である。図１１において、５０は洗車機、５１は洗車機用洗浄ブラシ、５２は駆動源、５３はノズル、５４は乾燥機である。【００７５】  洗車機５０は、図１１の如く、本発明の洗車機用洗浄ブラシのブラシ片が使用されてある洗車機用洗浄ブラシ５１が搭載されてあり、前記洗車機用洗浄ブラシ５１は駆動源５２により回転される。ノズル５３からは、被洗浄面にたいして、洗浄剤、及び水が散布され、洗車機用洗浄ブラシ５１により、洗浄され、洗浄後は乾燥機５４等の乾燥手段により被洗浄面が乾燥される。【００７６】  上記の如くの構成となっている実施例３の洗車機５０の動作、作用は下記の通りである。【００７７】  洗車機５０は、本発明の洗車機用洗浄ブラシのブラシ片が使用されてある洗車機用洗浄ブラシ５１が搭載されてある為、ブラシ片が毛切れすることが無く、高い耐久性を有すると共に、ブラシ片が変形した時であっても洗浄性が劣化することが無く、高い洗浄性を有し、且つ被洗浄面に傷を付けることが無いブラシ片を配した洗車機用洗浄ブラシ５１が搭載されてある。従って、高い耐久性、及び洗浄性を有する洗車機５０が提供される。その為、洗車機５０は、被洗浄面を傷付けること無く、長期間に渡って高い洗浄性を発揮できる。また、洗車機用洗浄ブラシ５１の交換等に伴うメンテナンスの軽減を図ることができ、ランニングコストの削減を図ることができる。
【産業上の利用可能性】
【００７８】  本発明の洗車機用洗浄ブラシのブラシ片は、主に、自動車あるいは車両の外面の被洗浄面に付着した汚れ等を洗浄する為の洗車機に搭載する洗車機用洗浄ブラシのブラシ片として使用する。
【図面の簡単な説明】
【００７９】
【図１】  本発明の洗車機用洗浄ブラシのブラシ片を前面側から見た斜視図
【図２】  図１の撚り糸を前面側から見た斜視図
【図３】  本発明の洗車機用洗浄ブラシのブラシ片を配した洗車機用洗浄ブラシを前面側から見た斜視図
【図４】  本発明の他の実施の形態における洗車機用洗浄ブラシのブラシ片を前面側から見た斜視図
【図５】  図４のブラシ片の部分拡大図
【図６】  本発明の他の実施の形態における洗車機用洗浄ブラシのブラシ片の部分拡大図
【図７】  本発明の他の実施の形態における洗車機用洗浄ブラシのブラシ片を前面側から見た斜視図
【図８】  本発明の洗車機用洗浄ブラシのブラシ片を配した洗車機用洗浄ブラシを前面側から見た斜視図
【図９】  図８のチャンネルブラシの拡大図
【図１０】  本発明の他の実施の形態における洗車機用洗浄ブラシのブラシ片を前面側から見た斜視図
【図１１】  本発明の洗車機用洗浄ブラシのブラシ片が使用されてある洗車機用洗浄ブラシが搭載されてある洗車機の正面図
【図１２】  図４の撚り糸の正面図
【符号の説明】
【００８０】  １、１１、２１、３３、６１、７３、８３  ブラシ片
２、６２  布帛
３、１３、２３  撚り糸
４、７４、８４  単糸
１２、２２  基布
２５  穴部
３１、４１、５１  洗車機用洗浄ブラシ
３２、４２  台座
３４、４４  止め金具
３５  チャンネルブラシ
３８  帯状体
３９  芯線
４５  溝部
４６  スリット
５０  洗車機
５２  駆動源
５３  ノズル
５４  乾燥機
５５  先端部
６３  合成樹脂発泡体
６４  接合部
６５  凹部
７７  集束体
８５  角部
９５  接着部
【図１】
2007209735.tif 000003
【図２】
2007209735.tif 000004
【図３】
2007209735.tif 000005
【図４】
2007209735.tif 000006
【図５】
2007209735.tif 000007
【図６】
2007209735.tif 000008
【図７】
2007209735.tif 000009
【図８】
2007209735.tif 000010
【図９】
2007209735.tif 000011
【図１０】
2007209735.tif 000012
【図１１】
2007209735.tif 000013
【図１２】
2007209735.tif 000014